(57)【要約】【課題】外装ケースの側面部にソーラーセルを配置した場合は、ソーラーセルに外部操作部材を貫通させるための貫通穴、又は切り欠きを設ける必要があった。外部操作部材を用いることなく、時刻修正などの操作を行うことができるソーラーセル付き電子腕時計を提供する。【解決手段】文字板の背面側周囲に、帯状のソーラーセルを文字板に対して略垂直に配置し、外装ケースの上方側又は／及び斜め上方側から入射する外光を導光部材によってソーラーセルに導光し効率よく受光させるとともに、ソーラーセルの下側（裏蓋側）に検出用セルを形成し、この検出用セルへ入射する外装ケースの上方からの入射光を遮ることによって、検出用セルからの発電出力を降下させ、ユーザによる操作として検出する。【選択図】図２
2014190814.tif 000002
【特許請求の範囲】
【請求項１】
ムーブメントと、
該ムーブメント側面に位置するソーラーセルと、
該ソーラーセルに風防方向からの光を導く導光部材を備え、
前記ソーラーセルは、電源に充電するための発電用セルと、
光の有無を検出するための検出用セルを有し、
該検出用セルの暗状態を検出することで、操作を検知する
ことを特徴とするソーラーセル付き電子腕時計。
【請求項２】
前記検出用セルは、前記ソーラーセルの裏蓋側に配置される
ことを特徴とする請求項１に記載のソーラーセル付き電子腕時計。
【請求項３】
前記導光部材は、
文字板より上に位置し、風防側よりの光を下方の前記ソーラーセルの方向に反射させる第１傾斜面と
文字板より下に位置し、風防側よりの光を前記ソーラーセルの方向に反射させる反射させる第２傾斜面と、を有する
ことを特徴とする請求項２に記載のソーラーセル付き電子腕時計。
【請求項４】
前記検出用セルを複数有し、
暗検出した前記複数の検出用セルの場所、順序、個数のいずれかにより
異なる操作を検知する
ことを特徴とする請求項１ないし３のいずれか１つに記載のソーラーセル付き電子腕時計。
【請求項５】
前記複数の検出用セルを、時字などの時計表示の指標の位置に配置する
ことを特徴とする請求項４に記載のソーラーセル付き電子腕時計。
【発明の詳細な説明】
【技術分野】
【０００１】
本発明は、ソーラーセル付き電子腕時計に関し、詳細には、時計ムーブメント及び文字板の側面にソーラーセルを配置したソーラーセル付き電子腕時計に関する。
【背景技術】
【０００２】
従来、ソーラーセルを内部に備え、光エネルギーで動作させるソーラーセル付き電子腕時計がある。このようなソーラーセル付き電子腕時計は、ソーラーセルが指示面を含む外装ケース上面に平行に配置されている。
【０００３】
しかし、外装ケース上面に平行にソーラーセルが配置されたものは、外装ケース上面が衣類の袖で覆われると、ソーラーセルに外光が届かず、ムーブメントが要する電圧を得られないおそれがある。
【０００４】
そこで、腕時計の外装ケースの側壁部に開口を形成し、外装ケースの内部に、開口に臨むようにソーラーセルを配した構成のソーラーセル付き電子腕時計が提案されている（特許文献１）。
【０００５】
この技術によれば、外装ケース上面が衣類の袖で覆われた場合であっても、外装ケースの側壁部に外光が届くときは、その外光は、側壁部に形成された開口を通してソーラーセルに入射するため、受光効率を高めることができる。
【先行技術文献】
【特許文献】
【０００６】
【特許文献１】特開２０１０−２１０２９５号公報
【発明の概要】
【発明が解決しようとする課題】
【０００７】
上述した先行技術は、周壁の周方向の全周に亘って繋がった開口を有しているため、外装ケースの側方から入射する外光を効率よく受光できる。しかし、先行技術では、外装ケースの側面部に外部操作部材を必要とするため、ソーラーセルに外部操作部材を貫通させるための貫通穴、又は切り欠きを形成しなければならない。このため、時計の構造が複雑になり、部品点数が増えるためコストアップになり、また完成時計の組み立てが大変になるという問題があった。
【０００８】
そこで、本発明は、外装ケースの上方から入射する外光を導光部材によってムーブメント側面に配置したソーラーセルで受光するとともに、このソーラーセルの一部に検出用セルを配置し、この検出用セルへの入射光を外部より制御することによりユーザのスイッチ入力を検出し、外部操作部材を用いることなく時刻修正などの操作を行うことができるソーラーセル付き電子腕時計を提供することを目的とする。
【課題を解決するための手段】
【０００９】
本発明に係るソーラーセル付き電子腕時計は、文字板の背面側周囲に、発電領域が表面に形成された帯状のソーラーセルを文字板に対して略垂直に配置したソーラーセル付電子腕時計において、外装ケースの上方側又は／及び斜め上方側から入射する外光を導光部材によりソーラーセルに導光し効率よく受光させるとともに、ソーラーセルに検出用セルを形成し、この検出用セルの発電量の降下を検出することにより、ユーザによるスイッチ入力を判定することを特徴としている。
【発明の効果】
【００１０】
本発明に係るソーラーセル付き電子腕時計によれば、外装ケースの上方側又は／及び斜め上方側から入射する外光を導光部材によってソーラーセルの発電領域に導光させることで二次電池を充電し電子腕時計を駆動するとともに、外装ケースの上方側から入射する外光を指などで遮ることにより非接触入力を行うことができるので、外部操作部材が不要になり、部品点数が少ないためコストダウンになり、かつシンプルな構造で組立ても簡単にすることができる。
【図面の簡単な説明】
【００１１】
【図１】本発明のソーラーセル付き電子腕時計を示す正面図である。
【図２】図１のソーラーセル付き電子腕時計の断面図である。
【図３】図２において指で非接触入力を行っている図である。
【図４】ソーラーセルの詳細を示す図であり、（ａ）は発電面側の発電用セルと検出用セルの配置を示す図、（ｂ）は非発電面側の発電用取出し電極と検出用取出し電極の配置を示す図、（ｃ）はソーラーセルを組み立てた状態を示す斜視図である。
【図５】本発明のソーラーセル付き電子腕時計を示すシステム構成図である。
【図６】本発明のスイッチ入力の検出の流れの例を示すフローチャートである。
【図７】本発明のソーラーセル付き電子腕時計において外部操作が行われていない状態を示す図であり、（ａ）は時計の外観を示す正面図、（ｂ）は各検出用セルの発電出力及び制御信号の波形を示す図である。
【図８】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【図９】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【図１０】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【図１１】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【図１２】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【図１３】本発明のソーラーセル付き電子腕時計において外部操作が行われている状態を示す図であり、（ａ）は具体的な外部操作の例を示す正面図、（ｂ）は各検出用セルの発電出力及び制御信号の波形を示す図である。
【発明を実施するための形態】
【００１２】
以下、本発明を図示の実施形態に基づいて説明する。
（ソーラーセル付き電子腕時計の全体構成）
図１は、本発明のソーラーセル付き電子腕時計を示す正面図、図２は図１のソーラーセル付き電子腕時計の断面図である。
【００１３】
図１、図２に示すように、本発明のソーラーセル付電子腕時計１は、外装ケース（時計ケース）２の表面側に設けた風防ガラス３の内側に円板状の文字板４が設置されており、文字板４上の中心には指針５（時針、分針、秒針）が同軸上に設置されている。外装ケース２内の文字板４の外周縁部近傍には、ソーラーセル８を保持し導光素子としての機能を
有する見返しリング９が配設されている。この見返しリング９は、本発明のソーラーセル保持部材に相当するものである。
【００１４】
外装ケース２内の文字板４の背面側と裏蓋１０との間には、時計ムーブメント１１、時計ムーブメント１１を駆動させるための時計回路基板１２、時計ムーブメント１１と時計回路基板１２と見返しリング９を保持する中枠１３、ソーラーセル８と時計回路基板１２の電極とを電気的に接続する板状の接続バネ１４が組み込まれている。
【００１５】
中枠１３には、見返しリング９の下部側を入れて保持するための凹状の保持部１３ａが形成され、中枠１３の底面には、ソーラーセル８と時計回路基板１２との間で板状の接続バネ１４を配置するための穴部１３ｂが形成されている。
【００１６】
このように、中枠１３は、外装ケース２と時計ムーブメント１１の間に配置されて、時計ムーブメント１１を外装ケース２の内面で保持するとともに、見返しリング９も保持して、見返しリング９の外面（上面、下面、内周面、外周面）は、風防ガラス３と外装ケース２と文字板４の外周縁部とガタツキなく位置決めされている。
【００１７】
（ソーラーセル８の構成）
図４（ａ）及び（ｂ）は、ソーラーセル８を平面状に開いた状態を示す図、（ｃ）はソーラーセル８を組み立てた状態を示す斜視図、である。
【００１８】
図４に示すように、ソーラーセル８は、ＰＥＴフィルム製のベース基板上にアモルファスシリコン層等を形成した細長い帯状のソーラーセルであり、可撓性を有し、太陽光等の光を受光して発電を行う発電用セル８ａ、光が遮られて発電が行われなくなることでユーザによる操作を検出するための検出用セル８ｂ、及び発電用セル８ａの背面側の側端部に、発電用セル８ａで発生する電力を取出す端子としての取出し電極８ｄ，８ｅ、及び検出用セル８ｂの背面側に、検出用セル８ｂで発生する電力を取り出す端子としての取出し電極８ｆが配置されている。
【００１９】
検出用セル８ｂは、３段の分割セルに分割されるとともに、３段の分割セルは直列に接続され、その直列に接続された３段の分割セルからなる各検出用セル８ｂは、並列にスイッチ検出回路に接続されている。
【００２０】
検出用セル８ｂにおいて、少なくとも１つの分割セルが指で覆われることで入射光が遮られると、その分割セルを含む検出用セル８ｂから出力される発電量が減少し、ユーザによる操作として検出される。検出用セル８ｂの分割数は任意であるが、一つの分割セルの大きさは指で確実に覆える大きさにすることが望ましい。
【００２１】
ソーラーセル８は、図２に示すように、文字板４の外周縁部近傍の下側に略垂直に配置され、発電用セル８ａ及び検出用セル８ｂが外装ケース２側を向くようにして後述する見返しリング９に保持されている。なお、ソーラーセル８は可撓性を有しているので、図４（ｃ）のようにリング状にした場合には元の直線状態に戻ろうとする張力が作用する。
【００２２】
取出し電極８ｄ、８ｅ，８ｆは、接続バネ１４を介して時計回路基板１２の電極（不図示）に電気的に接続される。ソーラーセル８からの発電電力は二次電池（不図示）に充電された後に、時計回路基板１２の回路部や時計ムーブメント１１の指針駆動部などに供給される。
【００２３】
（見返しリング９の構成）
図１に示す見返しリング９は、光透過性を有する樹脂製材料を用いて樹脂成型されたも
のである。そして、見返しリング９の略垂直な内周面（時計ムーブメント１１側の面）には、周方向に沿って所定の厚みだけ段差を有する平面状のソーラーセル保持面９ａが、文字板４の表面とほぼ同じ位置である中央付近の少し上から下側に形成されている。また、見返しリング９の外周面（外装ケース２側の面）には、平面状の第１傾斜面９ｂと第２傾斜面９ｃが形成されている。なお、第１傾斜面９ｂが接する外装ケース２の内周面（見返し面）、及び第２傾斜面９ｃが接する中枠１３の保持部１３ａは、第１傾斜面９ｂと第２傾斜面９ｃのそれぞれの傾斜に合わせて傾斜している。
【００２４】
そして、図４（ｃ）のようにリング状にしたソーラーセル８の両端部を当接するようにして、見返しリング９のソーラーセル保持面９ａに発電用セル８ａ及び検出用セル８ｂ側が接するように取付ける。これにより、図２のように、ソーラーセル８は文字板４の外周縁部近傍の下側に垂直状態で配置される。この際、上記したようにリング状のソーラーセル８には元の直線状態に戻ろうとする張力が作用しているので、ソーラーセル８は円形状のソーラーセル保持面９ａに押し付けられるようにして保持される。
【００２５】
このように、ソーラーセル８自身の元の直線状態に戻ろうとする張力で、ソーラーセル８をソーラーセル保持面９ａに確実にかつ容易に保持させることができる。
【００２６】
また、従来技術においては、ソーラーセル又は見返しリングに貫通孔を開けて、外部操作部材と接続した軸部材を通すようにしていたため、ソーラーセルと軸部材の距離が非常に近かった。このため、外部で発生した静電気などのノイズが、外部に露出している外部操作部材から入り、軸部材を介してソーラーセルへ直接流れてしまい、ソーラーセルを破壊してしまうおそれがあった。
【００２７】
これに対して、本実施形態では、後述のように、外部操作部材を必要としないため、軸部材もなくすことが可能となり、見返しリング又はソーラーセルに貫通孔を開ける必要がないので、静電気に強い構造をとることができる。
【００２８】
また、第１傾斜面９ｂと第２傾斜面９ｃの表面には、光反射率の高い金属薄膜等をコーティングして反射膜９ｈが形成されている。これにより、第１傾斜面９ｂと第２傾斜面９ｃは、それぞれ第１の反射面と第２の反射面として機能し、後述するように風防ガラス３を通して見返しリング９に入射した光（太陽光など）は、この第１傾斜面９ｂと第２傾斜面９ｃで反射して、ソーラーセル８に入射する。
【００２９】
（見返しリング９の導光素子としての作用）
次に、図２を参照して見返しリング９の導光素子としての作用について説明する。
【００３０】
この見返しリング９を有するソーラーセル付き電子腕時計を腕に装着したときの姿勢状態や太陽などの光源の位置によって、光（太陽光など）が見返しリング９の見返し部９ｉ（側面部９ｉ１、上面部９ｉ２）から見返しリング９内に入射する。
【００３１】
例えば、図２において、外光Ａは、風防ガラス３の表面に対して高い入射角で入射したときの光路であり、この外光Ａは見返し部９ｉの上面部９ｉ２側から入って見返しリング９の下側の第２傾斜面９ｃで反射し、ソーラーセル８の下側（視認側とは反対側）へ入射する。
【００３２】
同様に、図２において、外光Ｂは、風防ガラス３の表面に対して外光Ａよりも低い入射角で入射したときの光路であり、特に腕時計の場合では、腕に装着している場合に発生しやすい光の入射光路である。この外光Ｂは見返し部９ｉの側面部９ｉ1側から入って屈折して見返しリング９の上側の第１傾斜面９ｂで反射し、ソーラーセル８の上側（視認側）
へ入射する。
【００３３】
このように、この見返しリング９は、先端側が内側に傾斜している第１傾斜面９ｂと第２傾斜面９ｃを有し、それらの表面に反射膜９ｈをコーティングして反射面としているので、風防ガラス３の表面に対して高い入射角、低い入射角で外光が入射する状況においても、入射した光を第１傾斜面９ｂ、第２傾斜面９ｃで反射させて、文字板４よりも下側に垂直に配置されているソーラーセル８へ効率よく光を受光させることができる。これにより、ソーラーセル８の発電量が安定し、かつ発電量を増やすことができる。
【００３４】
（検出領域７のユーザインタフェースとしての構成）
次に、図２、図３及び図４を参照して検出領域７のユーザインタフェースとしての構成について説明する。
【００３５】
図１に示す検出領域７（７ａ〜７ｄ）は、風防ガラス３外周部に配置された操作ボタンに見立てた領域である。検出領域７（７ａ〜７ｄ）の時計の厚さ方向の下方の外装ケース２内のソーラーセル８には、図４に示す検出用セル８ｂ（８ｂ１〜８ｂ４）が形成されている。
【００３６】
ここで、風防ガラス３外周部の略１２時位置には検出領域７ａが配置され、その下方の外装ケース２内部のソーラーセル８の下側（裏蓋側）には検出用セル８ｂ１が形成されている。
【００３７】
同様に、風防ガラス３外周部の略３時位置には検出領域７ｂが配置され、その下方の外装ケース２内部のソーラーセル８の下側（裏蓋側）には検出用セル８ｂ２が形成されている。
【００３８】
同様に、風防ガラス３外周部の略６時位置には検出領域７ｃが配置され、その下方の外装ケース２内部のソーラーセル８の下側（裏蓋側）には検出用セル８ｂ３が形成されている。
【００３９】
同様に、風防ガラス３外周部の略９時位置には検出領域７ｄが配置され、その下方の外装ケース２内部のソーラーセル８の下側（裏蓋側）には検出用セル８ｂ４が形成されている。
【００４０】
太陽光等を受光可能な明るい場所において、検出用セル８ｂは、発電用セル８ａと同様に光を受光して発電を行うが、ユーザが検出領域７を指などで覆うと、その検出領域７の下方に設けられた検出用セル８ｂに入射する光が遮られるため発電しなくなり、検出用セル８ｂからの発電出力が低下する。
【００４１】
風防ガラス３の表面に対して高い入射角で入射する外光Ａは、見返し部９ｉの上面部９ｉ２側から入って屈折して見返しリング９の下側の第２傾斜面９ｃで反射し、ソーラーセル８の下側（裏蓋側）へ入射している。この外光Ａを遮ることで、検出用セル８ｂからの発電出力を降下させるため、検出用セル８ｂはソーラーセル８の下側（裏蓋側）に形成されている（図３参照）。
【００４２】
風防ガラス３の表面に対して外光Ａよりも低い入射角で入射する外光Ｂは、見返し部９ｉの側面部９ｉ１側から入って屈折して見返しリング９の上側の第１傾斜面９ｂで反射し、ソーラーセル８の上側（視認側）へ入射している。この外光Ｂは、腕時計においては、腕に装着している場合に外光Ａよりも多く入射する光であり、この外光Ｂをより効率よくソーラーセル８に導光して発電に寄与させるため、発電用セル８ａはソーラーセルの上側
（視認側）を中心に形成されている。
【００４３】
（システム構成図）
ここで、本発明に係るソーラーセル付き電子腕時計１の主なシステム構成例を、図５を用いて説明する。
【００４４】
図５に示されるように、ソーラーセル付き電子腕時計１は、検出用セル８ｂ、スイッチ検出回路５００、制御回路５０１、指針制御回路５０２、及び指針駆動回路５０３、指針駆動部５０４、指針５、発電用セル８ａ、充電回路５０５を有する。
【００４５】
スイッチ検出回路５００は、検出用セル８ｂ（８ｂ１〜８ｂ４）の発電出力の降下を検出し、その降下のパターンが、予め記憶されている所定のスイッチ操作に対応付けられたパターンと一致するかを判定し、一致した場合は所定の制御信号を出力する。
【００４６】
制御回路５０１は、スイッチ検出回路５００が出力した制御信号が、予め記憶されているモード切替信号ＳＷ１と一致するかを判定し、一致した場合は所定の制御信号を出力して通常モードと修正モードの切り替えを行う。さらに、修正モードにおいて、スイッチ検出回路５００が出力した制御信号が、予め記憶されている指針５の運針方法を示す信号ＳＷ２〜ＳＷ６のいずれかと一致するかを判定し、一致した場合は所定の制御信号を出力する。
【００４７】
指針制御回路５０２は、制御回路５０１が出力した制御信号に基づいて、指針駆動回路５０３へ所定の制御信号を出力する。
【００４８】
指針駆動回路５０３は、指針制御回路５０２が出力した制御信号に基づいて、指針駆動部５０４に所定の制御信号を出力し、指針５の修正又は運針を行う。
【００４９】
充電回路５０５は、発電用セル８ａ及び／又は検出用セル８ｂにより発電されて得られた電圧を二次電池（不図示）に充電する。
【００５０】
例えば、図７（ａ）に示されるように、ユーザが検出領域７ａ〜７ｄを操作していない状態を初期状態とすると、図７（ｂ）に示されるように、各検出用セル８ｂ１〜８ｂ４からは“Ｈ”レベルの電圧が出力され、制御信号ＳＷは出力されない。ユーザがいずれかの検出領域７ａ〜７ｄを指などで操作すると、対応する検出用セル８ｂ１〜８ｂ４に入射する外光が減少するため、例えば図８（ｂ）や図９（ｂ）に示されるように発電出力が降下して“Ｌ”レベルとなり、このパターンからユーザによる操作内容を判定して、いずれかの制御信号ＳＷ１〜ＳＷ６が出力される。
【００５１】
検出用セル８ｂ１〜８ｂ４の発電出力が降下した場合に、例えば図８（ｂ）や図９（ｂ）のようにきれいなパルス状の信号となって検出される訳ではない。ここでは、スイッチ検出回路５００において、検出用セルの発電出力の降下を検出した場合に、電圧値をある所定の閾値をもって二値化することにより、“Ｈ”レベル又は“Ｌ”レベルの判定を行っている。
【００５２】
なお、図７（ｂ）〜図１３（ｂ）では、スイッチ検出回路５０１によって二値化された後の“Ｈ”レベル及び“Ｌ”レベルの波形を示している。ここでは、二値化のための具体的な構成については、本発明の本質ではないので詳しい説明は省略する。
【００５３】
ここで、図８（ａ）に示されるように、ユーザが風防ガラス３の外周部に設けられた検出領域７を、検出領域１→検出領域２→検出領域３の順に操作したとすると、図８（ｂ）
に示されるように、各検出領域７ａ〜７ｄに対応して設けられた各検出用セル８ｂ１〜８ｂ４からの発電出力が、検出用セル１→検出用セル２→検出用セル３の順に降下して“Ｌ”レベルが検出される。これを例えば時計の時刻を修正するための修正モードへのモード切替信号ＳＷ１の入力パターンとして予め制御回路５０１内に記憶されている。
【００５４】
同様に、図９（ａ）に示されるように、ユーザが検出領域を、検出領域３→検出領域２→検出領域１の順に操作したとすると、図９（ｂ）に示されるように、各検出領域に対応して設けられた検出用セルからの発電出力が、検出用セル３→検出用セル２→検出用セル１の順に降下することになる。これを例えば修正モードにおける運針の正転方向への１ステップ運針による修正、すなわち正転単発修正信号ＳＷ２の入力パターンとして予め制御回路５０１内に記憶されている。
【００５５】
同様に、図１０（ａ）に示されるように、ユーザが検出領域を、検出領域１→検出領域２の順に操作したとすると、図１０（ｂ）に示されるように、各検出領域に対応して設けられた検出用セルからの発電出力が、検出用セル１→検出用セル２の順に降下することになる。これを例えば修正モードにおける運針の逆転方向への１ステップ運針による修正、すなわち逆転単発修正信号ＳＷ３の入力パターンとして予め制御回路５０１内に記憶されている。
【００５６】
同様に、図１１（ａ）に示されるように、ユーザが検出領域を、検出領域３→検出領域２の順に操作したとすると、図１１（ｂ）に示されるように、各検出領域に対応して設けられた検出用セルからの発電出力が、検出用セル３→検出用セル２の順に降下することになる。これを例えば修正モードにおける運針の正転方向への連続運針による修正、すなわち正転連続修正信号ＳＷ４の入力パターンとして予め制御回路５０１内に記憶されている。
【００５７】
同様に、図１２（ａ）に示されるように、ユーザが検出領域を、検出領域４→検出領域３→検出領域２の順に操作したとすると、図１２（ｂ）に示されるように、各検出領域に対応して設けられた検出用セルからの発電出力が、検出用セル４→検出用セル３→検出用セル２の順に降下することになる。これを例えば修正モードにおける運針の逆転方向への連続運針による修正、すなわち逆転連続修正信号ＳＷ５の入力パターンとして予め制御回路５０１内に記憶されている。
【００５８】
同様に、図１３（ａ）に示されるように、ユーザが検出領域を、検出領域２→検出領域３の順に操作したとすると、図１３（ｂ）に示されるように、各検出領域に対応して設けられた検出用セルからの発電出力が、検出用セル２→検出用セル３の順に降下することになる。これを例えば修正モードにおける運針の正転又は逆転方向への連続運針による修正を停止する、すなわち連続修正停止信号ＳＷ６の入力パターンとして予め制御回路５０１内に記憶されている。
【００５９】
このように、ユーザによって検出領域７ａ〜７ｄが操作されることによって、対応する検出用セル８ｂ１〜８ｂ４からの発電出力が降下するので、操作された検出領域を容易に特定することができ、さらにそのパターンによってユーザの操作内容を特定することができる。
【００６０】
（信号出力処理）
このような処理を行うために、実際の信号出力処理の流れの例を図６のフローチャートを参照して説明する。
【００６１】
ステップＳ６０１において、ユーザによる操作が行われていない時（初期状態）は通常
モードであり、時計の回路基板１２上に設けられた制御回路５０１から通常の運針基準信号が出力され（Ｓ６０１；Ｙ）、指針駆動部５０３によって指針５が正転方向に１ステップ駆動され時刻を表示する（Ｓ６０２）。
【００６２】
ステップＳ６０３において、ユーザが時刻を修正するために図８（ａ）に示したパターンに基づいて検出領域７ａ〜７ｄの操作を行うと、検出用セル８ｂ１〜８ｂ４の発電出力が降下し、スイッチ検出回路５００は、電圧降下のパターンが図８（ｂ）に示したモード切替のパターンと一致するかを判定し、一致した場合、モード切替信号ＳＷ１を出力する。
【００６３】
制御回路５０１は、スイッチ検出回路５００が出力したモード切替信号ＳＷ１を検出した場合（Ｓ６０３；Ｙ）、修正モードに移行するとともに指針５の駆動を停止し（Ｓ６０４）、ステップＳ６０５に処理を進める。
【００６４】
モード切替信号ＳＷ１が検出されない場合（Ｓ６０３；Ｎ）、制御回路５０１は修正モードには移行せず、ステップＳ６０４〜ステップＳ６１５の処理は省略され、通常の時刻の表示が継続される。
【００６５】
ステップＳ６０５において、ユーザは時刻を修正するための指針の駆動方法を選択する。本実施例においては、正転方向への１ステップ運針による修正を選択した場合には、図９（ａ）に示したパターンに基づいて検出領域７ａ〜７ｄの操作を行う。
【００６６】
スイッチ検出回路５００は、検出用セル８ｂ１〜８ｂ４の発電出力の降下を検出すると、そのパターンが図９（ｂ）に示したパターンと一致するかを判定し、一致した場合、所定の制御信号を出力する。
【００６７】
制御回路５０１は、スイッチ検出回路５００が出力した制御信号が正転単発修正信号ＳＷ２と一致するかを判定し、一致した場合（Ｓ６０５；Ｙ）、指針制御回路５０２から指針駆動回路５０３に指針５を１ステップ正転させる信号を送り、時刻を修正する（Ｓ６０６）。制御信号が正転単発修正信号ＳＷ２と一致しなかった場合は（Ｓ６０５；Ｎ）、ステップＳ６０７に進む。
【００６８】
ユーザは、逆転方向への１ステップ運針による修正を選択した場合には、図１０（ａ）に示したパターンに基づいて検出領域７ａ〜７ｄの操作を行う。
【００６９】
スイッチ検出回路５００は、検出用セル８ｂ１〜８ｂ４の発電出力の降下を検出すると、そのパターンが図１０（ｂ）に示したパターンと一致するかを判定し、一致した場合、所定の制御信号を出力する。
【００７０】
制御回路５０１は、スイッチ検出回路５００が出力した制御信号が逆転単発修正信号ＳＷ３と一致するかを判定し、一致した場合（Ｓ６０７；Ｙ）、指針制御回路５０２から指針駆動回路５０３に指針５を１ステップ逆転させる信号を送り、時刻を修正する（Ｓ６０８）。制御信号が逆転単発修正信号ＳＷ３と一致しなかった場合は（Ｓ６０７；Ｎ）、ステップＳ６０９に進む。
【００７１】
ユーザは、正転方向への連続運針による修正を選択した場合には、図１１（ａ）に示したパターンに基づいて検出領域７ａ〜７ｄの操作を行う。
【００７２】
スイッチ検出回路５００は、検出用セル８ｂ１〜８ｂ４の発電出力の降下を検出すると、そのパターンが図１１（ｂ）に示したパターンと一致するかを判定し、一致した場合、
所定の制御信号を出力する。
【００７３】
制御回路５０１は、スイッチ検出回路５００が出力した制御信号が正転連続修正信号ＳＷ４と一致するかを判定し、一致した場合（Ｓ６０９；Ｙ）、指針制御回路５０２から指針駆動回路５０３に指針５を正転方向に連続運針させる信号を送り、時刻を修正する（Ｓ６１０）。制御信号が正転連続修正信号ＳＷ４と一致しなかった場合は（Ｓ６０９；Ｎ）、ステップＳ６１１に進む。
【００７４】
ユーザはステップＳ６１０の正転連続修正によって指針５が所望の位置へ修正された場合は、指針５の連続運針を停止させるために、図１３（ａ）に示したパターンに基づいて検出領域７ａ〜７ｄの操作を行う。
【００７５】
ステップＳ６１１において、スイッチ検出回路５００は、検出用セル８ｂ１〜８ｂ４の発電出力の降下のパターンが図１３（ｂ）に示した連続運針を停止させるためのパターンと一致するかを判定し、一致した場合には、所定の連続修正停止信号ＳＷ６を出力し、制御回路５０１は指針５の正転連続修正を停止し、ステップＳ６１２に進む（Ｓ６１１；Ｙ）。
【００７６】
ユーザは、逆転方向への連続運針による修正を選択した場合には、図１２（ａ）に示したパターンに基づいて検出領域７ａ〜７ｄの操作を行う。
【００７７】
スイッチ検出回路５００は、検出用セル８ｂ１〜８ｂ４の発電出力の降下を検出すると、そのパターンが図１２（ｂ）に示したパターンと一致するかを判定し、一致した場合、所定の制御信号を出力する。
【００７８】
制御回路５０１は、スイッチ検出回路５００が出力した制御信号が逆転連続修正信号ＳＷ５と一致するかを判定し、一致した場合（Ｓ６１２；Ｙ）、指針制御回路５０２から指針駆動回路５０３に指針５を逆転方向に連続運針させる信号を送り、時刻を修正する（Ｓ６１３）。制御信号が逆転単発修正信号ＳＷ５と一致しなかった場合は（Ｓ６１２；Ｎ）、ステップＳ６１５に進む。
【００７９】
ユーザはステップＳ６１３の逆転連続修正によって指針５が所望の位置へ修正された場合は、指針５の連続運針を停止させるために、図１３（ａ）に示したパターンに基づいて検出領域７ａ〜７ｄの操作を行う。
【００８０】
ステップＳ６１４において、スイッチ検出回路５００は、検出用セル８ｂ１〜８ｂ４の発電出力の降下のパターンが図１３（ｂ）に示した連続運針を停止させるためのパターンと一致するかを判定し、一致した場合には、所定の連続修正停止信号ＳＷ６を出力し、制御回路５０１は指針５の逆転連続修正を停止し、ステップＳ６１５へ進む（Ｓ６１４；Ｙ）。
【００８１】
ユーザは上記のステップＳ６０４〜Ｓ６１４までの処理を適宜繰り返し行い、指針５の位置を正しく修正する。修正が完了したら、修正モードから通常モードに移行させるために、予め制御回路５０１に記憶されているパターンに基づいて検出領域７ａ〜７ｄの操作を行う。
【００８２】
スイッチ検出回路５００は、検出用セル８ｂ１〜８ｂ４の発電出力の降下のパターンが、予め記憶されたモード切替のためのパターンと一致するかを判定し、一致した場合は、モード切替信号ＳＷ１を出力する。
【００８３】
制御回路５０１は、スイッチ検出回路５００が出力したモード切替信号ＳＷ１を検出した場合には（Ｓ６１５；Ｙ）、修正モードを終了するとともに通常モードに移行し、指針５の通常運針を再開する（Ｓ６１６）。
【００８４】
このように、本実施形態は、以下のような効果を有する。
（１）外装ケース２内部の文字板４及び時計ムーブメント１１の側面に略垂直に配置されているソーラーセル８に、検出用セル８ｂを配置することで非接触スイッチを設けることが可能になり、外部操作部材を用いることなく時計の操作を行うことができる。
（２）ソーラーセル８上に発電用セル８ａ及び検出用セル８ｂを形成し、風防ガラス３に対して高い入射角で入射する外光Ａが見返しリング（導光部材）９によってソーラーセル８の下側（裏蓋側）に入射することから、検出用セル８ｂをソーラーセル８の下側（裏蓋側）に形成することによって検出精度を向上することができる。
【００８５】
実際に時計に入射する光については、風防ガラス３に対して低い入射角で入射し、見返しリング（導光部材）９によってソーラーセル８の上側（視認側）に入射する外光Ｂの方がより多く発生するため、発電用セル８ａをソーラーセル８の上側（視認側）に配置することで、発電量への影響を最小限にすることができる。
【００８６】
また、上記の実施形態においては、スイッチ検出回路５００は、ユーザによる操作をいつでも検出できるように常に待機しているが、変形例として、１分間に１回又は３０秒間に１回など、タイミングを決めて定期的に検出を行うようにしてもよい。
【００８７】
このようにすれば、消費電力の削減に寄与するとともに、検出を行っていない時は、検出用セル８ｂで得られた電力についても発電用セル８ａで得られた電力と同様に二次電池に充電することにより、二次電池への電力供給をより安定的にすることができる。
【００８８】
また、上記の実施形態においては、ユーザが隣り合う複数の検出領域を順番に操作するパターンとしたが、操作方法はこれに限らない。複数の検出領域を同時に操作する、対向する検出領域を時計をクロスするように操作する、又は同じ検出領域を連続で複数回操作するなど、いかなるパターンでも制御回路に記憶させることにより適用可能である。
【００８９】
また、上記の実施形態においては、指針式のアナログ電子腕時計について説明したが、これに限ることなく、液晶表示式などのデジタル電子腕時計にも適用可能である。
【００９０】
また、上記の実施形態においては、時刻修正の方法について説明したが、これに限ることなく、アラームやタイマー、クロノグラフなど、あらゆる機能について適用可能である。
【符号の説明】
【００９１】
１     ソーラーセル付き電子腕時計
２     外装ケース
３     風防ガラス
７     検出領域
７ａ   検出領域１
７ｂ   検出領域２
７ｃ   検出領域３
７ｄ   検出領域４
８     ソーラーセル
８ａ   発電用セル
８ｂ   検出用セル
８ｂ１ 検出用セル１
８ｂ２ 検出用セル２
８ｂ３ 検出用セル３
８ｂ４ 検出用セル４
９     見返しリング（導光部材）
Ａ，Ｂ 外光
【図１】
2014190814.tif 000003
【図２】
2014190814.tif 000004
【図３】
2014190814.tif 000005
【図５】
2014190814.tif 000006
【図６】
2014190814.tif 000007
【図７】
2014190814.tif 000008
【図８】
2014190814.tif 000009
【図９】
2014190814.tif 000010
【図１０】
2014190814.tif 000011
【図１１】
2014190814.tif 000012
【図１２】
2014190814.tif 000013
【図１３】
2014190814.tif 000014
【図４】
2014190814.tif 000015